(57)【要約】  １の態様にあっては、装置が例えば、携帯型コンピュータのような携帯型電子機器を支持するように設けられている。他の態様では、前記装置は前記ケースと脱着可能に連結されるように設けられたスタンドおよびケースを含有し、前記装置は前記スタンドが脱着可能に前記ケースに連結される第１の配置および前記スタンドが前記ケースから脱着された第２の配置をもつ。他の態様では、前記スタンドはイーゼルのような態様で前記携帯型電子機器を支持するように設けられ、その際前記装置は前記第１または第２の配置のいずれかにある。他の態様では、キットが、異なるサイズを有する第１および第２の携帯型電子機器を各々支持するように設けられた第１および第２のスタンドと、前記第１および第２のスタンドの各々が脱着可能に連結させるように設けられたケースとを有する。他の態様では、前記キットは小売用展示キットである。【選択図】図１９
2018507459.tif 000002
【特許請求の範囲】
【請求項１】
携帯型電子機器を支持するように設けられた装置であって、該装置は、第１および第２のカバー、および開放配置と閉鎖配置を有するように前記第１および第２のカバーと接続する背を有するケースと、前記ケースと脱着可能に連結されるように設けられたスタンドと、を有するとともに、該スタンドは、前面を画定する本体を有するホルダーを有し、前記ホルダーは前記前面に前記本体を貫通するように形成された開口をさらに有し、前記装置は、前記スタンドが脱着可能に前記ケースに連結される第１の配置と、前記スタンドが前記ケースから脱着された第２の配置をもち、前記ホルダーは、前記第１および第２の配置の各々で前記携帯型電子機器を受け入れるように設けられ、前記携帯型電子機器が前記ホルダーによって受け入れられる場合には、前記装置は、前記第１の配置にあり、前記ケースは閉鎖配置にあり、前記携帯型電子機器は、前記ホルダーの前記本体の前記前面および前記開口の各々と係合し、または少なくとも近傍にあり、前記背および前記第１および第２のカバーは実質的に前記携帯型電子機器を覆い、前記携帯型電子機器が前記ホルダーによって受け入れられた場合には、前記装置は前記第１の配置にあり、前記ケースは前記開放配置にあり、前記携帯型電子機器は、前記ホルダーの前記本体の前記前面および前記開口の各々と係合し、または少なくとも近傍にあり、前記ホルダーは、少なくとも前記開口を用いて横長視方向と縦長視方向との間で回転可能であり、前記装置は、前記横長視方向と前記縦長視方向の各々においてイーゼルのような態様で前記携帯型電子機器を支持するように設けられた。
【請求項２】
前記スタンドは前記ホルダーと回転可能に連結するアームをさらに有し、前記ホルダーと前記アームとの間の相対的な回転が許容される請求項１に記載の前記装置。
【請求項３】
前記アームは前記ホルダーと回転可能に連結した第１の部分と、前記第１の部分と蝶番接続した第２の部分と、を有する請求項２に記載の前記装置。
【請求項４】
前記ケースは、スリーブを有し、前記スリーブは少なくとも部分的に前記アームの前記第２の部分を受け入れるように設けられた通路を画定し、前記アームの前記第２の部分は前記通路内を延び、その場合前記装置は前記スタンドが脱着可能に前記ケースと連結する前記第１の配置にある請求項３に記載の前記装置。
【請求項５】
前記ホルダーおよび前記スタンドの前記第１の部分は前記第１および第２の部分との間の蝶番接続についてかつ前記ケースおよび前記第２の部分の各々に対して旋回可能であり、その場合、前記装置は、前記スタンドが前記ケースに脱着可能に連結されかつ前記アームの前記第２の部分が前記通路内に延びる前記第１の配置にある請求項４に記載の前記装置。
【請求項６】
前記アームは、前記第１および第２の部分が実質的に平行である引き込み位置、および前記第１および第２の部分が実質的に平行でなく前記第１および第２の部分の間にゼロ度よりも大きな角度が画定された展開位置をもつ請求項５に記載の前記装置。
【請求項７】
前記アームは前記第１および第２の部分と各々接続する第１および第２のコネクターをさらに有し、前記第１および第２のコネクターは、相互に接続されることが許され、その際に前記アームは前記引き込み位置にあって、前記アームを前記引き込み位置に固定する請求項６に記載の前記装置。
【請求項８】
前記第１および第２のカバーは、第１および第２の内面を各々画定し、前記スリーブは前記第１および第２の内面の１つと接続される請求項４に記載の前記装置。
【請求項９】
前記スタンドは、前記アームを前記ホルダーに回転可能に連結する連結リングをさらに有し、前記連結リングの少なくとも一部は前記開口内に延び、その際、前記携帯型電子機器が前記ホルダーによって受け入れられて前記装置が前記第２の配置にあり、前記ホルダーは少なくとも開口および前記連結リングを用いて、前記横長視方向および前記縦長視方向との間で回転可能であって、前記スタンドは、前記携帯型電子機器をイーゼルのような態様で前記横長視方向および前記縦長視方向の各々で支持するように設けられた請求項２に記載の前記装置。
【請求項１０】
携帯型電子機器を支持するように設けられた装置であって、該装置は、第１および第２の内面を各々画定する第１および第２のカバー、および開放配置と閉鎖配置を有するように前記第１および第２のカバーと接続する背を有するケースを有し、前記ケースは、前記携帯型電子機器が固定されるように設けられた第１のスタンドが前記ケースと脱着可能に連結されるように設けられ、その結果、前記携帯型電子機器が前記第１のスタンドに固定される際に、前記第１のスタンドが前記ケースと脱着可能に連結される、かつ前記ケースが閉鎖配置にあって、前記背および前記第１および第２のカバーが実質的に前記携帯型電子機器を覆い、かつ他の携帯型電子機器が固定されるように設けられた第２のスタンドが前記ケースに脱着可能に連結されるように設けられ、その結果、前記他の携帯型電子機器が前記第２のスタンドに固定される際に、前記第２のスタンドが前記ケースに脱着可能に連結され、かつ前記ケースが閉鎖配置にあって、前記背および前記第１および第２のカバーが実質的に前記他の携帯型電子機器を覆い、前記他の携帯型電子機器は前記最初に述べた携帯型電子機器の前記サイズと異なるサイズを有する。
【請求項１１】
前記ケースは、前記第１のカバーを前記第２のカバーに固定するように設けられた開閉部材をさらに有し、その際、前記ケースは前記閉鎖配置にある請求項１０に記載の前記装置。
【請求項１２】
前記ケースは、前記第１および第２の内面の１つと接続したスリーブをさらに有し、前記スリーブは対向する第１および第２の端部を有し、前記スリーブは通路を画定し、前記通路は、前記スリーブの対向する第１および第２の端部の間に延び、前記スリーブは前記第１の端部で第１の開口を形成し、前記第１の開口は前記通路へのアクセスを提供する請求項１０に記載の前記装置。
【請求項１３】
前記装置は、前記最初に述べた携帯型電子機器を受け入れるように設けられたホルダーを有する前記第１のスタンドと、前記ホルダーと連結したアームとを有し、前記アームの少なくとも一部は前記通路内に前記第１の開口を介して延び、その際前記第１のスタンドは脱着可能に前記ケースと連結する請求項１２に記載の前記装置。
【請求項１４】
前記スリーブは前記第２のカバーの前記第２の内面と接続され、前記スリーブは前記第２のカバーの前記第２の内面の前記幅の一部を横切って延び、前記スリーブは前記第２のカバーの前記第２の内面の縦に沿ってその中ほどに位置する請求項１２に記載の前記装置。
【請求項１５】
前記第２のカバーは前記第２のカバーの前記第２の内面の縦に沿って延びる外端を画定し、前記スリーブの前記位置は、前記第２の内面の前記幅に沿ってかつ前記第２のカバーの前記外端に向かって変位し、その結果、前記スリーブは前記第２のカバーの前記第２の内面の前記幅に沿った中ほどに位置しない請求項１４に記載の前記装置。
【請求項１６】
前記通路は、前記第１のスタンドの少なくとも一部を受け入れるように形成され、その際前記第１のスタンドは脱着可能に前記ケースと連結し、前記第１のスタンドの少なくとも一部は前記第１の開口に挿入されるように設けられ、その結果前記通路は、前記第１のスタンドの少なくとも一部を受け入れ、前記通路は、前記第２のスタンドの少なくとも一部を受け入れるように形成され、その際、前記第２のスタンドは前記ケースと脱着可能に連結され、前記第２のスタンドの少なくとも一部は前記第１の開口内に挿入されるように設けられその結果前記通路は前記第２のスタンドの少なくとも一部を受け入れる請求項１２に記載の前記装置。
【請求項１７】
携帯型電子機器を支持するように設けられた装置であって、該装置は、スタンドを有するとともに、該スタンドは、前記携帯型電子機器を受け入れるためのホルダーを有し、該スタンドは、さらに前記ホルダーと回転可能に連結しかつ前記ホルダーをイーゼルのような態様で支持するように設けられたアームを有し、前記ホルダーと前記アームとの間の相対的な回転が許容される。
【請求項１８】
前記ホルダーと前記アームとの間の相対的な回転が許容され、その結果前記アームが前記ホルダーをイーゼルのような態様で横長視方向で支持するように設けられ、前記ホルダーと前記アームとの間の相対的な回転が許容され、その結果前記アームが縦長視方向でイーゼルのような態様で前記ホルダーを支持するように設けられている請求項１７に記載の前記装置。
【請求項１９】
前記アームは前記ホルダと回転可能に連結する第１の部分と前記第１の部分と蝶番接続される第２の部分を有する請求項１７に記載の前記装置。
【請求項２０】
前記第１および第２の部分の各々はこれらの間の前記蝶番接続について旋回可能であり、結果前記アームは前記第１および第２の部分が実質的に平行な引き込み位置と、前記第１および第２の部分が実質的に平行ではなくかつゼロ度よりも大きな角度が前記第１および第２の部分の間に画定される展開位置を持つ請求項１９に記載の前記装置。  
【請求項２１】
前記アームは、前記第１および第２の部分と各々接続される第１および第２のコネクターをさらに有し、前記第１および第２のコネクターは相互に接続されることが許容され、その際前記アームは前記引き込み位置にあって前記アームを前記引き込み位置に固定する請求項２０に記載の前記装置。
【請求項２２】
前記装置は、前記スタンドが脱着可能に連結されるように設けられたケースをさらに有し、前記ケースは、第１および第２の内面を各々画定する第１および第２のカバーと、前記第１および第２のカバーを接続して前記ケースが開放および閉鎖配置を持つ背とを有し、前記背および前記第１および第２のカバーは実質的に前記携帯型電子機器を覆い、その際前記携帯型電子機器は前記ホルダーによって受け入れられ、前記スタンドは、脱着可能に前記ケースと連結し前記ケースは前記閉鎖配置にある請求項２０に記載の前記装置。
【請求項２３】
前記ケースは前記第１および第２の内面の１つと接続したスリーブを有し、該スリーブは通路を画定し、前記アームの前記第２の部分は前記通路内に延び、その際前記スタンドは脱着可能に前記ケースと連結する請求項２２に記載の前記装置。
【請求項２４】
第１のサイズを持つ第１の携帯型電子機器を支持するように設けられた第１のスタンドと、
前記第１の携帯型電子機器とは異なり、前記第１の携帯型電子機器の前記第１のサイズと異なる第２のサイズをもち第２の携帯型電子機器を支持するように設けられた第２のスタンドと、
前記第１および第２のスタンドの各々が脱着可能に連結するように設けられ、第１および第２の内面を各々画定する第１および第２のカバー、および前記第１および第２のカバーと接続して前記第１のケースが開放および閉鎖配置をもつ背を有する第１のケースと、を有し、
前記第１のケースは、前記第１の携帯型電子機器を実質的に覆うように設けられ、その際に前記第１のスタンドは前記第１の携帯型電子機器を支持し、前記第１のスタンドは前記第１のケースと脱着可能に連結され、前記第１のケースはその閉鎖配置にあり、
前記第１のケースは、前記第２の携帯型電子機器を実質的に覆うように設けられ、その際前記第２のスタンドは前記第２の携帯型電子機器を支持し、前記第２のスタンドは、脱着可能に前記第１のケースと連結され、前記第１のケースはその閉鎖配置にあるキット。
【請求項２５】
前記第１および第２のスタンドの各々が連結するように設けられた第２のケースをさらに有し、前記第２のケースは開放および閉鎖配置を持ち、
前記第２のケースは前記第１の携帯型電子機器を実質的に覆うように設けられ、その際前記第１のスタンドは前記第１の携帯型電子機器を支持し、前記第１のスタンドは前記第２のケースと弾着可能に連結し、かつ前記第２のケースはその閉鎖配置にあり、
前記第２のケースは実質的に前記第２の携帯型電子機器を覆うように設けられ、その際前記第２のスタンドは前記第２携帯型電子機器を支持し、前記第２のスタンドは前記第２のケースと脱着可能に連結され、前記第２のケースはその閉鎖配置にある請求項２４に記載の前記キット。
【請求項２６】
前記第１のスタンドは前記第１のスタンドが脱着可能に前記第１のケースと連結するか否かに拘わらず前記第１の携帯型電子機器を支持するように設けられ、
前記第２のスタンドは、前記第２のスタンドが前記第２のケースと脱着可能に連結されているか否かに拘わらず前記第２の携帯型電子機器を支持するように設けられている請求項２４に記載の前記キット。
【請求項２７】
前記第１のスタンド、前記第２のスタンド、前記第１のケースおよび前記第２のケースが結合されるように設けられたパネルをさらに有し、その際、前記第1のスタンドは前記第および第２のケースの各々から脱着され、前記第２のスタンドは前記第１および第２のケースの各々から脱着される請求項２４に記載の前記キット。
【請求項２８】
前記キットは、小売用展示キットであって、前記第１のスタンド、前記第２のスタンド、前記第１のケース、および前記第２のケースは少なくとも部分的に製品展示部を形成し、その際前記第１のスタンド、前記第２のスタンド、前記第１のケースおよび前記第２のケースは前記パネルと結合している請求項２７に記載の前記キット。
【請求項２９】
前記第１のスタンドおよび前記第２のスタンド第１の列または行に展示され、その際、前記第１のスタンドおよび前記第２のスタンドは前記パネルと結合し、前記第１のケースおよび前記第２のケースは第２の列または行に展示され、前記第１のケースおよび前記第２のケースは第２の列または行に展示され、その際前記第１のケースおよび前記第２のケースは前記パネルと結合している請求項２８に記載の前記キット。
【発明の詳細な説明】
【関連出願に対する相互参照】
【０００１】
本出願は、２０１４年１２月１０日に提出された米国特許出願第６２／０９０,０８４号に対しその出願日の利益および優先権を主張し、その全開示は、ここをもって参照により、ここに含まれる。
【技術分野】
【０００２】
本開示は、概して、携帯型電子機器用のフォリオ、またはケースに係り、特に、脱着可能スタンド付タブレット型コンピュータに関する。
【背景技術】
【０００３】
携帯型電子機器の普及は、前記携帯型電子機器を収容し、保護しかつ飾るのに適合した製品に対する要求を生み出した。携帯型電子機器を収容しおよび／または前記携帯型電子機器を見るために手を使わずに支えることができるフォリオまたはケースを含む種々の製品がこの要求を満たすように工夫されている。
【０００４】
しかしながら、例えば、種々の物理的なサイズをもつタブレット型コンピュータのような携帯型電子機器の急増に起因して、できるだけ多くの種々のタブレット型コンピュータを収容し、保護しかつ飾ることができるケースまたはフォリオ製品の品揃えを提供するための小売業者の間での要求がある。さらに、任意の１つの特別なタブレット型コンピュータのために選ぶ種々の色彩および材質を含有するフォリオまたはケース製品の品揃えに対する消費者の間での要望がある。小売業者によって蓄えられているあらゆる製品は、資本金と前記在庫品を収容するための物理的な空間の双方を必要とする。加えて、各製品は決まって在庫商品識別番号（ＳＫＵ）が割り当てられる。したがって、かなりの量の記録、資本金および物理的空間が、与えられた種々のタブレット型コンピュータを収容し、保護しかつ飾ることができる製品の在庫を維持するために要求される。これは、より多くの種類のタブレット型コンピュータを収容し、保護し、かつ飾ることができる製品を提供したい小売業者、特に限られた記録能力、物理的空間および／または資本的資源を持つ者にとって問題を生じさせる。
【０００５】
したがって、必要なことは、上述した1または2以上の問題点および／または1または2以上の他の問題点を扱う装置、キット、小売用展示、方法、組立品またはシステムである。
【図面の簡単な説明】
【０００６】
【図１】は、１の例示的な実施の形態に係る閉鎖配置にある脱着可能スタンド付タブレット型コンピュータケースの斜視図である。
【０００７】
【図２】は、１の例示的な本実施の形態に係る開放配置にある図１の前記タブレット型コンピュータケースおよびその脱着可能スタンドの前側斜視図であって、前記脱着可能スタンドはタブレット型コンピュータを支持している。
【０００８】
【図３】は、１の例示的な実施の形態に係る図２の前記タブレット型コンピュータケースおよびその脱着可能スタンドの前側図斜視図であって、前記脱着可能スタンドは前記ケースから一部脱着している。
【０００９】
【図４】は、１の例示的な本実施の形態に係る開放配置における図１−３のケースの前側斜視図である。
【００１０】
【図５】は、１の例示的な実施の形態に係る縦長視方向に沿った図２、３の前記脱着可能スタンドの前側斜視図である。
【００１１】
【図６】は、１の例示的な実施の形態に係る図５の前記脱着可能スタンドの後側斜視図である。
【００１２】
【図７】は、１の例示的な実施の形態に係る図５の前記脱着可能スタンドの図５の７−７線視断面図である。
【００１３】
【図８】は、１の例示的な実施の形態に係る図５の脱着可能スタンドの横長視方向に沿った前側斜視図である。
【００１４】
【図９】は、１の例示的な実施の形態に係る図８の脱着可能スタンドの後側斜視図である。
【００１５】
【図１０】は、１の例示的な実施の形態に係る図１−９の前記ケースおよび脱着可能スタンドの斜視図である。
【００１６】
【図１１】は、１の例示的な実施の形態に係る図１０の前記ケースおよび脱着可能スタンドの斜視図であって、前記脱着可能スタンドは前記ケースに脱着可能に連結される過程にある。
【００１７】
【図１２】は、１の例示的な実施の形態に係る図１１の前記ケースおよび脱着可能スタンドの斜視図であって、前記脱着可能スタンドは、前記ケースに脱着可能に連結され、前記脱着可能スタンドの一部は、前記ケースに対して旋回する位置にある。
【００１８】
【図１３】は、１の例示的な実施の形態に係る図１−９の前記ケースおよび脱着可能スタンドの斜視図であって、前記脱着可能スタンドの一部は図１２の前記ケースに対して他の旋回する位置にある。
【００１９】
【図１４】は、１の例示的な実施の形態に係る図１−９の前記ケースおよび脱着可能スタンドの斜視図であって、前記ケースと脱着可能スタンドは脱着可能に連結し、前記ケースは、開放配置にあり、前記スタンドは、横長視方向に沿って支えられている。
【００２０】
【図１５】は、１の例示的な実施の形態に係る図１−９の前記ケースおよび脱着可能スタンドの斜視図であって、前記ケースおよび前記脱着可能スタンドは脱着可能に連結し、前記ケースは開放配置にあり、前記スタンドは、縦長視方向に沿って支えられている。
【００２１】
【図１６】は、１の例示的な実施の形態に係る図８に類似する前側斜視図であり、前記脱着可能スタンドは、横長視方向に沿って前記タブレット型コンピュータを支えている。
【００２２】
【図１７】は、１の例示的な実施の形態に係る図５に類似する前側斜視図であって、前記脱着可能スタンドは、縦長視方向に沿って前記タブレット型コンピュータを支えている。
【００２３】
【図１８】は、１の例示的な実施の形態に係る図１４に類似する前側斜視図であって、前記ケースと脱着可能スタンドは相互に脱着可能に連結されかつ前記タブレット型コンピュータを横長視方向に沿って支えている。
【００２４】
【図１９】は、１の例示的な実施の形態に係る図１５に類似する前側斜視図であって、前記ケースと脱着可能スタンドは相互に脱着可能に連結されかつ前記タブレット型コンピュータを縦長視方向に沿って支えている。
【００２５】
【図２０】は、１の例示的な実施の形態に係る図１−１９の1または2以上の前記ケースおよび脱着可能スタンドに対する小売用展示の図形的な例示である。
【発明の詳細な説明】
【００２６】
１の例示的な実施の形態において、図１−４で説明するように、装置は全体として前記参照番号１０によって言及されかつ多機能フォリオまたはケース１２及びスタンド１４を含有する。図２−４に示すように、前記スタンド１４は、前記ケース１２に脱着可能に連結するように設けられている。前記スタンド１４の前記ケース１２からの脱着可能性は、以下にさらに詳しく記述するつもりである。前記スタンド１４は、例えば、タブレット型コンピュータ１６のような携帯型電子機器を、前記タブレット型コンピュータ１６が前記スタンド１４によって支持されている間に、その前面１６ａが、ユーザによって見られかつ操作されることができる。前記装置１０の各々、前記ケース１２及びスタンド１４は、前記タブレット型コンピュータ１６を支持するように設けられている。いくつかの例示的な実施の形態にあっては、前記タブレット型コンピュータ１６は、例えば、アップル社のｉＰａｄ（登録商標）、アップル社のｉＰａｄ（登録商標）ミニ、サムソン・ギャラクシー・タブ（登録商標）、サムスン・ギャラクシー・ノート（登録商標）、アマゾン・ファイア（登録商標）、アマゾン・キンドル・ファイア（登録商標）、マクロソフト・サーフェス（登録商標）、またはグーグル・ネキサス（登録商標）のような市場で入手可能なタブレット型コンピュータである。
【００２７】
１の例示的な実施の形態にあっては、図１−３への参照を継続しながら図４で説明されているように、前記ケース１２は、前側カバー１８、後側カバー２０、および背２２を含有する。前記前側カバー１８および後側カバー２０は、実質的に長方形である。いくつかの例示的な実施の形態にあっては、前記前側カバー１８および前記後側カバー２０は、例えば、長方形、円形、三角形、多角形、他の平面形状またはこれらの任意の組み合わせのような多くの実質的に同一形状の任意の１つを形成することがある。前記背２２は、前記前側カバー１８および前記後側カバー２０を結合し、それによって、前記ケース１２が、図２−４に示すような開放配置、または、図１に示すような閉鎖配置に置かれることを可能とする。
【００２８】
前記開放配置において、図２−４に示すように、前記ケース１２の前記前側カバー１８は、前記タブレット型コンピュータ１６の前記前面１６ａを覆うように設けられていない。前記閉鎖配置において、図１に示すように、前記前側カバー１８は、前記後側カバー２０から実質的に平行関係で離間し、それによって、前記タブレット型コンピュータ１６の前記前面１６ａを覆うように設けられている。例えば、ジッパーのような開閉部材２４は、前記前側カバー１８を前記後側カバー２０に固定することによって前記閉鎖配置において前記ケース１２を固定する。いくつかの例示的な実施の形態にあっては、前記ジッパーに加えて、またはその代わりに、前記開閉部材２４は例えば、留め金、ボタン、磁石、マジックテープ（登録商標）式ファスナー、尾錠、またはこれらの任意の組合せのような他の種類の開閉部材を含有することがある。いくつかの例示的な実施の形態にあっては、前記ケース１２が図１に示される前記閉鎖配置にある際には、前記背２２、前記前側カバー１８、および前記後側カバー２０は、前記開閉部材２４が例えば、ジッパーで締められることによって閉じられるか否かに拘わらず、実質的に前記タブレット型コンピュータ１６を覆う。いくつかの例示的な実施の形態にあっては、前記開閉部材２４は、前記装置１０から省略され、その結果、前記ケース１２が前記閉鎖配置にある場合には、前記背２２、前記前側カバー１８、および後側カバー２０は、実質的に前記タブレット型コンピュータ１６を覆い、少なくとも前記タブレット型コンピュータ１６の前記前方（前記前面１６ａを含有する）、前記後方および側方を覆う。
【００２９】
さらに図１−４を参照すると、前記ケース１２の前記前側カバー１８は、内面１８ａと前記背２２に向かい合った外縁１８ｂを画定する。前記ケース１２の前記後側カバー２０は、内面２０ａと前記背２２に向かい合った外縁２０ｂを画定する。前記前側カバー１８は、種々のポケット、または例えば、書類用フラップ２６、筆記用具ホルダー２８、および種々雑多な合成ゴムのポケット３０ａ、３０ｂのようなその前記内面１８ａに縫い込まれた他の組織化された部品を有することがある。スリーブ３２が、前記後側カバー２０の前記内面２０ａと接続され、それによって、前記スリーブ３２（前記スリーブ３２の一部は保持用通路３４を示すために図４において破断されている）の一対の向かい合った端部３２ａおよび端部３２ｂの間に保持用通路３４を画定する。前記端部３２ａにおいて、前記スリーブ３２は、開口部３６ａを形成し、それが前記保持用通路３４へのアクセスを提供する。同様にして、前記端部３２ｂにおいて、前記スリーブ３２は、開口部３６ｂを形成し、それもまた前記保持用通路３４へのアクセスを提供する。前記スリーブ３２（およびしたがってまた前記保持用通路３４）は、少なくとも前記内面２０ａの前記幅の一部に沿った水平方向に延び、かつ前記後側カバー２０の前記内面２０ａ前記縦に沿った垂直方向の中程に位置している。さらに、前記スリーブ３２の前記位置は、前記内面２０ａの前記幅に沿ってかつ前記後側カバー２０の前記外縁２０ｂに向かって水平方向に変位し、その結果前記スリーブ３２は、前記後側カバー２０の前記内面２０ａに沿って水平方向中程にまたはその幅に沿って位置していない。
【００３０】
いくつかの例示的な実施の形態にあっては、前記前側カバー１８の前記内面１８ａおよび前記後側カバー２０の前記内面２０ａは、上述したものに加えて、例えば、ホルダー、スリーブ、ポーチ、ポケット、フラップ、アクセサリーパネル、またはこれらの任意の組み合わせのような任意の個数のポケットまたは他の組織化された部品を含有することがある。前記種々のポケットまたは前記内面１８ａに縫い込まれた他の組織的部品の１の例示的な実施の形態は、上述されたけれども、任意の個数の組み合わせが使用されて前記内面１８ａおよび／または２０ａと接続されることがあり、そのような組み合わせは、全体として書類用フラップ２６、前記筆記用具ホルダー２８および前記合成ゴムのポケット３０ａ，３０ｂの内の1または2以上の省略を含むことがある。
【００３１】
さて、図１−４の参照を継続しながら図５および図６を参照すると、前記スタンド１４の１の例示的な実施の形態が説明されている。前記スタンド１４は、ホルダー４０、および前記ホルダー４０と接続されたアーム４２を含有する。前記ホルダー４０は前記タブレット型コンピュータ１６が前記スタンド１４に固定するように設けられている。前記タブレット型コンピュータ１６は、前記ホルダー４０内で受け止められ、その結果該タブレット型コンピュータ１６は前記ホルダー４０と接続される一方、前記タブレット型コンピュータ１６の前記前面１６ａは実質的に開かれまたは覆われていない（図２に示すように）。前記ホルダー４０は前面４４ａ及び後面４４ｂを画定する本体４４を有する。
【００３２】
前記ホルダー４０の前記本体４４は、平行に離間した縁４６ａおよび縁４６ｂ、および平行に離間した縁４６ｃおよび縁４６ｄを有する。コーナー４８ａは、前記隣接する縁４６ａと縁４６ｃとの間に形成されている。さらに、コーナー４８ｂは、前記隣接する縁４６ｃと縁４６ｂとの間に形成されている。さらに、コーナー４８ｃは、前記隣接する縁４６ｂと４６ｄとの間に形成されている。最後に、コーナー４８ｄは、前記隣接する縁４６ｄと縁４６ａとの間に形成されている。壁５０ａが前記コーナー４８ａ、前記縁４６ｃ、前記コーナー４８ｂ、および前記縁４６ｂの一部から延びている。１の例示的な実施の形態にあっては、前記壁５０ａは、前記コーナー４８ａ、前記縁４６ｃ、前記コーナー４８ｂおよび前記縁４６ｂと一体的に形成されている。前記壁５０ａは、前記前面４４ａから延びて、上方向に湾曲しかつ湾曲した内面５０ａａを画定する。へり５０ａｂは、前記湾曲した内面５０ａａの前記遠位の端部において形成されている。壁５０ｂは、前記縁４６ｂの一部、前記コーナー４８ｃ、および前記縁４６ｄの一部から延びている。１の例示的な実施の形態にあっては、前記壁５０ｂは、前記縁４６ｂ、前記コーナー４８ｃ、および前記縁４６ｄによって一体的に形成されている。前記壁５０ｂは、前記前面４４ａから延びて、上方向に湾曲しかつ湾曲した内面５０ｂａを画定する。へり５０ｂｂは前記湾曲した内面５０ｂａの遠位の端部に形成されている。１の例示的な実施の形態にあっては、前記壁５０ｂは、前記縁４６ｄおよび前記コーナー４８ｄとともに一体的に形成されている。前記壁５０ｃは、前記前面４４ａから延びて、上方向に湾曲しかつ湾曲した内面５０ｃａを画定する。へり５０ｃｂは、前記湾曲した内面５０ｃａの遠位の端部に形成される。隙間５２ａが前記縁４６ａに沿ってかつ前記壁５０ａと壁５０ｃの間に画定される。さらに、隙間５２ｂが前記縁４６ｂに沿ってかつ前記壁５０ａと壁５０ｂとの間に画定される。また、隙間５２ｃが前記縁４６ｄに沿ってかつ前記壁５０ｂと壁５０ｃとの間に画定される。開口５４ａおよび開口５４ｂが前記本体４４を通して形成される。
【００３３】
前記タブレット型コンピュータ１６が受け入れられかつ内部に固定される際に、前記ホルダー４０、前記湾曲した内面５０ａａ、内面５０ｂａおよび内面５０ｃａは、前記タブレット型コンピュータ１６の各側方を収容するように設けられている。１の例示的な実施の形態にあっては、前記壁５０ａ、壁５０ｂおよび壁５０ｃは曲がって、前記タブレット型コンピュータ１６が前記ホルダー４０内に受け入れられるように前記タブレット型コンピュータ１６の各側面を収容するように設けられ、したがって、前記タブレット型コンピュータ１６と摩擦嵌めおよび／または締り嵌めを形成している。前記へり５０ａｂ、へり５０ｂｂおよびへり５０ｃｂは、前記タブレット型コンピュータ１６の前記前面１６ａの各縁を超える位置内にパチンとはめ込み、それによって、前記タブレット型コンピュータ１６を前記ホルダー４０内に固定する。前記タブレット型コンピュータ１６が前記ホルダー４０によってそのように受け入れられてその内部に固定される場合には、前記タブレット型コンピュータ１６は、前記円形開口７０および前記本体４４の前記前面４４ａの各々と係合し、または少なくともその近傍にあり、いくつかの例示的な実施の形態にあっては、前記タブレット型コンピュータ１６は、前記円形開口７０および前記前面４４ａの各々の少なくとも近傍にあることがあり、その場合、例えば、前記タブレット型コンピュータ１６と前記円形開口７０および前記前面４４ａの各々との間に隙間が画定され、層または詰め物が前記タブレット型コンピュータ１６と前記円形開口７０および前記前面４４ａの各々との間に設けられ、カバー、突起、またはカップラー等が前記円形開口７０内および／またはを介して延びて前記タブレット型コンピュータ１６と係合し、またはそれらの任意の組み合わせのことがある。
【００３４】
前記隙間５２ａ、隙間５２ｂおよび隙間５２ｃ、および前記開口５４ａおよび開口５４ｂは、種々の端子、ボタン、スイッチ、カメラ、スピーカーまたは他の部品または前記タブレット型コンピュータ１６の構成要素へのアクセスを提供している。いくつかの例示的な実施の形態にあっては、1または2以上の前記壁５０ａ、壁５０ｂおよび壁５０ｃの代わりにまたはそれに加えて、前記ホルダー４０は、1または2以上の他の壁を含有することがある。いくつかの例示的な実施の形態にあっては、1または2以上の前記隙間５２ａ、隙間５２ｂおよび隙間５２ｃの代わりにまたはそれに加えて、前記ホルダー４０は1または2以上の他の隙間を含有することがある。いくつかの例示的な実施の形態にあっては、前記開口５４ａおよび開口５４ｂの１つまたは両方の代わりにまたはそれに加えて、前記ホルダー４０は、前記本体４４を通って形成された1または2以上の他の開口を含有することがある。
【００３５】
前記アーム４２は、連結部５６、旋回部５８、および前記旋回部５８に前記連結部５６を蝶番接続するヒンジ６０を含有する。前記アーム４２の前記連結部５６は、回転可能に連結リング６２によって前記ホルダー４０と回転可能に連結されている。前記ヒンジ６０は前記旋回部５８が前記ヒンジ６０に関してかつ前記連結部５６に対して旋回を可能とする。コネクター６３ａは、前記ヒンジ６０に向かい合う前記旋回部５８の端部５８ａと接続されている。同様にして、コネクター６３ｂが前記ヒンジ６０に向かい合う前記連結部５６の端部５６ａと接続している。前記コネクター６３ａおよびコネクター６３ｂは、相互に接続するように設けられている。１の例示的な実施の形態にあっては、前記コネクター６３ａおよびコネクター６３ｂは相互にマジックテープ（登録商標）式ファスナーを形成する。いくつかの例示的な実施の形態にあっては、マジックテープ（登録商標）式ファスナーに加えて、又はその代わりに、前記コネクター６３ａおよびコネクター６３ｂは例えば、留め金、ボタン、磁石、ジッパー、尾錠または任意のこれらの組合せのような他の種類のコネクターを含有することがある。
【００３６】
以下に記載される条件の下では、前記アーム４２は、交替に、引き込み位置または展開位置に置かれることがある。前記引き込み位置では、前記旋回部５８及び連結部５６は、実質的に平行であり、かつ前記コネクター６３ａは前記コネクター６３ｂと接続して前記アーム４２を前記引き込み位置に維持する。前記コネクター６３ａおよびコネクター６３ｂは相互に共働して前記アーム４２を引き込み位置に固定する。前記展開位置では、前記旋回部５８は前記ヒンジ６０についてかつ前記連結部５６に対して前記ホルダー４０から外側方向に離れるように旋回され、その結果ゼロ度よりも大きな角度６３ｃが前記部５６と５８の間で画定される。前記旋回部５８はしたがって前記ヒンジ６０について前記連結部５６に対して任意の個数の方向に旋回可能であり、該方向はイーゼル（画架）のような態様で前記ホルダー４０を支持することができる方向を含有する。
【００３７】
タブ６４は、前記アーム４２の旋回部５８に形成される。前記タブ６４は前記タブ６４が前記旋回部５８と蝶番接続する縁６４ａに沿うべき該縁６４ａを画定する。さらに、タブ６４の前記蝶番接続は角度方向に沿って付勢されまたはそうでなければ、前記タブ６４が前記旋回部５８から前記ヒンジ６０の前記大体の方向に沿って角度方向に延びるように形成され、前記タブ６４の遠位の端部は前記旋回部５８と前記アームの前記連結部５６との間に位置し、かつ、ゼロ度よりも大きい角度が前記タブ６４と前記旋回部５８との間に画定されている。結果として、前記スタンド１４は前記ケース１２と脱着可能に連結される場合には、さらに詳細に以下で検討するつもりであるが、前記タブ６４はその前記開口３６ｂに隣接する前記スリーブ３２に掛けられ、またはそうでなければ係合するように設けられている。
【００３８】
開口６４ｂは、前記アーム４２の前記旋回部５８を通って形成されかつ前記タブ６４の前記角度方向の付勢が克服されかつ前記タブ６４が前記旋回部５８と同一平面状またはほぼ同一平面状となった場合に前記タブ６４の少なくとも一部は前記開口６４ｂ内に延びるように前記タブ６４に対して位置している。結果として、いくつかの例示的な実施の形態にあっては、前記タブ６４が前記ケース１２または前記スタンド１４の部品と係合した場合には、前記タブ６４は、該タブ６４の角度方向の付勢に抗して曲がるように設けられて前記タブ６４と前記旋回部５８との間の前記角度は減少する。いくつかの例示的な実施の形態にあっては、この角度は減少して、前記タブ６４が前記旋回部５８と同一平面状またはほぼ同一平面状となって前記タブ６４の少なくとも一部が前記開口６４ｂ内に延びる。さらに、一旦前記タブ６４がもはや前記ケース１２または前記スタンド１４の部品と係合しないと、前記タブ６４は、前記旋回部５８に対してその元の角度位置に戻るように設けられている。
【００３９】
図５および図６に示すようないくつかの例示的な実施の形態にあってはシュー、ブート、又はストッパ６５が前記旋回部５８の前記端部５８ａと接続されている。前記端部５８ａの前記縁の大部分の中央に位置する前記端部５８ａと接続する前記ストッパ６５は、前記端部５８ａの前記縁の大部分に沿って延びている。さらに、いくつかの例示的な実施の形態にあっては、図５に示すように、２つのシュー、ブート、又はストッパ６５もまた前記縁４６ｂに沿って各々前記壁５０ａおよび壁５０ｂと接続されている。前記各ストッパ６５は前記隙間５２ｂの近傍に位置し、その結果前記隙間５２ｂは前記縁４６ｂに沿って前記２つのストッパ６５の間に位置している。前記壁５０ａおよび壁５０ｂと接続している前記各ストッパ６５は、前記端部５８ａと接続する前記ストッパ６５よりもサイズにおいてより小さい。さらにまた、いくつかの例示的な実施の形態にあっては、図５に示すように、シュー、ブート、またはストッパ６５も前記縁４６ｃに沿って前記壁５０ａと接続されている。前記壁５０ａと接続された前記ストッパ６５は前記縁４６ｃの中央にある。前述のシュー、ブート、又はストッパ６５の各々は、前記スタンド１４が持たれている任意の水平面をしっかりととらえまたはより好ましくは係合するように設けられている。いくつかの例示的な実施の形態にあっては、前述したシュー、ブート又はストッパ６５は、前記スタンド１４がもたれる任意の水平面をしっかりととらえまたは好ましくは係合するように設けられた1または2以上の素材からなっており、そのような1または2以上の素材の例は、ゴム、1または2以上のエラストマー、1または2以上のプラスチック素材、またはこれらの任意の組合せを含有する。
【００４０】
図５および図６の参照を継続しながら、図７を参照すると、前記連結リング６２の１の例示的な実施の形態が説明されている。前記連結リング６２は、上側フランジ６６およびそれから平行に離間した下側フランジ６７を含有する。環状部６８が前記平行に離間したフランジ６６と６７の間に延びる。前記上側フランジ６６および前記下側フランジ６７は、前記環状部６８の対向する端部に関して付着しかつ円周方向に沿って延びる。円形開口７０のような開口が前記ホルダ４０の前記本体４４を通って形成されかつ前記前面４４ａから前記後面４４ｂにまで延びている。前記円形開口７０は、前記本体４４のリム７２を画定する。前記リム７２は、前記本体４４の前記前面４４ａの下方に変位して前記円形開口７０の回りを円周方向に沿って延びている。円形開口７４はまた前記連結部５６を通って形成されている。前記円形開口７４および前記円形開口７０は相互に同心に並び、その結果前記連結部５６は前記本体４４の前記後面４４ｂと接触しまたはほぼ接触する。前記連結リング６２の前記環状部６８は、前記円形開口７０および円形開口７４の双方内に一斉にかつ同心に嵌合する。前記リム７２および前記連結部５６は、双方とも前記環状部６８について同心に設けられ、前記連結リング６２の前記上側フランジ６６と前記下側フランジ６７によってともに保持されている。この位置で、前記連結部５６は前記下側フランジ６７の内面６７ａと接触しまたはほぼ接触する。加えて、前記リム７２は前記上側フランジ６６の内面６６ａと接触しまたはほぼ接触する。結果として、前記上側フランジ６６は、前記本体４４の前記前面４４ａと同一平面または下側に変位するかのいずれかである。前記連結リング６２が取り付けられると、前記連結部５６は少なくとも前記円形開口７０および前記連結リング６２を使用して前記本体４４（および逆もまた同じ）に関して３６０度の相対的な回転を可能とする。
【００４１】
１の例示的な実施の形態にあっては、複数の突起７６および対応するノッチ７８が設けられて、前記連結リング６２と前記連結部５６との間の相対的な回転を阻止し、または少なくとも妨げまたはある程度抵抗するように設けられている。より特別には、前記突起７６は、前記下側フランジ６７の前記内面６７ａから延びる。前記突起７６は相互に円周方向に離間している。前記対応するノッチ７８は前記円形開口７４の円周に沿ってかつそれに隣接して前記連結部５６を通して形成されている。前記突起７６は前記対応するノッチ７８内に嵌合し、それによって、前記連結リング６２と前記連結部５６との間の相対的な回転を阻止し、または少なくとも妨害しまたはある程度抵抗するように作動する。
【００４２】
前記連結部５６が前記本体４４に相対的に回転するので、前記突起７６は前記ノッチ７８内に維持され、前記連結リング６２が前記連結部５６といっしょにかつ前記本体４４に対する回転を引き起こす。逆に、前記本体４４が前記連結部５６に対して回転するので、前記突起７６は前記ノッチ７８内に維持されて、前記連結リング６２および前記連結部５６の各々に対して前記本体４４の回転を引き起こす。加えて、いくつかの例示的な実施の形態にあっては、前記リム７２と前記環状部６８との間に摩擦嵌合が形成されることがある。前記連結リング６２と前記本体４４との間の相対的な回転は、前記摩擦嵌合によって阻止される。限界の力が適用されるまでは前記摩擦嵌合はしたがって前記連結部５６に対する前記本体４４の前記方向を維持し、そのことは前記本体４４と前記連結部５６との間の相対的な回転を導入する。いくつかの例示的な実施の形態にあっては、図５に示すように、円周方向に離間したノッチ８０は、前記上側フランジ６６および前記環状部６８に形成されている。前記ノッチ８０の各々の前記円周方向に沿った位置は前記突起７６の各１の円周方向に沿った位置に対応する。
【００４３】
いくつかの例示的な実施の形態にあっては、前記タブ６４の代わりに、またはそれに加えて、円形の開口（図示せず）が前記アーム４２の前記旋回部５８に形成されている。前記円形開口は、前記アーム４２が前記引き込み位置に置かれた場合には前記下側フランジ６７を収容するように設けられ、すなわち、前記アーム４２が前記引き込み位置にある場合には、前記下側フランジ６７は前記円形開口内に延びる。
【００４４】
図８および図９を補助的に参照しながら再び図５および図６を参照すると、少なくとも前記円形開口７０および前記連結リング６２を用いることで、例えば、図５および図６に示すような縦長視方向、および図８および図９に示すような横長視方向を含有する任意の個数の視方向が、前記連結部５６を前記本体４４（または逆も同じ）に対して相対的に回転することによって達成することができる。図５および図６に示すような前記縦長視方向にあっては、前記本体４４の前記縁４６ｂまたはそうでないならば前記縁４６ａは、実質上水平面上に水平に位置する。前記連結部５６は、前記本体４４（または逆も同じ）に対して、少なくとも前記円形開口７０および前記連結部６２を用いて回転し、その結果、前記アーム４２の前記旋回部５８は、前記縁４６ａまたは４６ｂが前記実質上水平面に位置する場合には実質的に垂直である。前記旋回部５８は、それから前記ヒンジ６０に対して外方向に回転して前記ホルダー４０を、イーゼルのような態様で前記縦長視方向に支持する。いくつかの例示的な実施の形態にあっては、前記壁５０ａおよび壁５０ｂに各々前記縁４６ｂに沿って接続した前記２つのシュー、ブート、またはストッパ６５は、前記旋回部５８の前記端部５８ａと接続したストッパ６５と同様に、前記スタンド１４がもたれる前記水平面をしっかりとらえまたは好ましくは係合する。結果として、前記シュー、ブート、またはストッパ６５は前記アーム４２が、前記スタンド１４がもたれる前記水平面に対して滑ることなく前記縦長方向に前記ホルダー４０を支持することを可能にする。
【００４５】
図８および図９に示すような前記横長視方向にあっては、前記本体４４の前記縁４６ｃ、またはそうでなければ前記縁４６ｄは実質上水平面上で水平に位置している。前記連結部５６は、前記本体４４（または逆も同じ）に関して、少なくとも円形開口および前記連結リング６２を用いて回転し、その結果、前記縁４６ｃまたは４６ｄが前記実質上水平面上に位置した際に前記アーム５３の前記旋回部５８は実質的に垂直である。前記旋回部５８はそれから前記ヒンジ６０に対して外方向に回転して、イーゼルのような態様で前記横長視方向に前記ホルダー４０を支持する。いくつかの例示的な実施の形態にあっては、前記縁４６ｃに沿って前記壁５０ａと接続する前記シュー、ブート、又はストッパ６５は、前記旋回部５８の前記端部５８ａと接続する前記ストッパ６５と同様に、前記スタンド１４がもたれる前記水平面をしっかりとらえまたは好ましくは係合する。結果として、前記シュー、ブート、又はストッパ６５は、前記アーム４２が前記横長方向で前記ホルダー４０を、前記スタンド１４がもたれる前記水平面に対して滑ることなく支持することを可能とする。
【００４６】
いくつかの例示的な実施の形態にあっては、図５および図６に示された前記縦長視方向から図８および図９に示された前記横長視方向へ変更するための前記アーム４２（または逆も同じ）の前記連結部５６に対する前記本体４４の回転の方向は、図５における矢印８２ａおよび矢印８２ｂによって表示されている。他の例に対して、図８および図９に示された前記横長視方向から図５および図６に示された前記縦長視方向への前記ホルダー４０を変更するための前記アーム４２（または逆も同じ）の前記連結部５６に対する前記本体４４の回転の方向は、図８において矢印８４ａおよび８４ｂによって表示されている。
【００４７】
１の例示的な実施の形態において、図１−９への参照を継続しながら図１０−１３に例示されているように、前記スタンド１４は、前記ケース１２に脱着可能に連結されることができる。前記スタンド１４を前記ケース１２に対して脱着可能に連結するために、図１０に示すように、前記アーム４２は最初に前記展開配置に置かれる。前記端部５８ａおよび、続いて、前記旋回部５８の前記タブ６４は、それから図１１に示されるようにかつ矢印８６によって表示されるように、前記スリーブ３２によって形成された前記開口３６ａに導入され、その結果前記保持用通路３４が前記旋回部５８を受けとめる。いくつかの例示的な実施の形態にあっては、前記タブ６４が前記開口３６ａに導入された際に、前記タブ６４と前記スリーブ３２との間の係合が前記タブ６４への曲げを引き起こしその結果前記タブ６４と前記旋回部５８との間の前記角度が減少する。いくつかの例示的な実施の形態にあっては、前記タブ６４が前記開口３６ａに導入された際に、前記タブ６４と前記スリーブ３２との間の前記係合は前記タブ６４に曲げを引き起こし、前記タブ６４の前記角度方向の付勢を克服し、その結果前記タブ６４と前記旋回部５８との間の前記角度が減少し、かつ前記旋回部５８と前記タブ５４の双方が前記保持用通路３４内に挿入される。
【００４８】
図１２に示されかつ前記矢印８６によって表示されるように、前記旋回部５８は前記開口３６ａ内に、かつ前記保持用通路３４を通り前記端部５８ａにまで供給され、かつ前記タブ６４は前記スリーブ３２によって形成された前記開口３６ｂから突出する。いくつかの例示的な実施の形態にあっては、一旦前記タブ６４が前記開口３６ｂに隣接するスリーブ３２を離れると、前記タブ６４の角度方向の付勢が前記タブ６４を前記旋回部５８に対するその元の角度位置にまで戻す。この位置で、前記タブ６４は、前記スリーブ３２の前記端部３２ｂの近傍にあるかまたはそれと係合するかのいずれかである。この位置において、いくつかの例示的な実施の形態では、前記スタンド１４は前記ケース１２と脱着可能に連結して前記スリーブ３２と組み合わされて、同様に前記タブ６４と前記端部３２ｂとの間で係合して、前記スタンド１４を前記ケース１２に固定する。いくつかの例示的な実施の形態にあっては、前記旋回部５８が前記矢印８８で表示される方向であって前記ケース１２に対して変位すると、前記タブ６４はその前記端部３２ｂでかつ前記開口３６ｂに隣接して前記スリーブ３２に引っ掛かりまたはそうでなければ係合しまたはさらにかみ合い、それによって前記スリーブ３２内に前記旋回部５８を保持する。
【００４９】
いくつかの例示的な実施の形態にあっては、前記タブ６４は、前記スタンド１４から省かれかつ前記スタンド１４は、前記ケース１２と脱着可能に連結され、その際に前記旋回部５８は前記保持用通路３４を通って延び、前記スリーブ３２は前記スタンド１４を前記ケース１２に固定する。いくつかの例示的な実施の形態にあっては、前記タブ６４は前記スタンド１４から省略されかつ前記スタンド１４は脱着可能に前記ケース１２と連結し、その際に前記旋回部５８は、少なくとも部分的に前記保持用通路３４内に延び、前記スリーブ３２は前記スタンド１４を前記ケース１２に固定する。
【００５０】
図１３に示されるように、一旦前記スタンド１４が脱着可能に前記ケース１２と連結すると、前記連結部５６および前記ホルダー４０は、前記ヒンジ６０についてかつ前記旋回部５８、前記スリーブ３２および前記ケース１２の前記後側カバー３０の各々に対して旋回可能である。結果として、前記連結部５６および前記ホルダー４０は、図１３の矢印９０によって表示されるように、旋回部５８に向かって旋回する。さらに前記アーム４２は前記引き込み位置に固定される一方、前記スタンド１４は、前記コネクター６３ｂを前記コネクター６３ａに接続することによって脱着可能に前記ケース１２と連結する。
【００５１】
いくつかの例示的な実施の形態にあっては、前記スタンド１４は、前述の工程を逆に実行することによって、前記ケース１２から脱着されることがある。より詳しくは、前記ホルダー４０は、図１３で前記矢印９０によって表示される反対方向に前記ヒンジ６０について旋回することがあり、それによって前記コネクター６３ａから前記コネクター６３ｂを分離する。前記ホルダー４０の前記旋回部５８は、それから前記スリーブ３２によって画定した前記保持用通路３４から除去されることがある。特に、前記旋回部５８およびしたがって前記ホルダー４０は最初に前記タブ６４を押圧することによって除去されることがあり、その結果前記タブ６４は曲り、前記タブ６４と前記旋回部５８との間の前記角度は減少する。いくつかの例示的な実施の形態にあっては、この角度は、前記タブ６４の少なくとも一部が前記開口６４ｂ内に延びるまで減少し、前記タブ６４は前記旋回部５８と同一平面またはほぼ同一平面となる。前記タブ６４がそのように押圧された際に、前記ホルダー４０はそれから図１２の前記矢印８８によって表示された方向に前記ホルダー４０を引くことによって除去されることあり、前記タブ６４が前記スリーブ３２の前記保持用通路３４を通して供給されることを可能にする。前記旋回部５８は前記保持用通路３４から前記開口３６ａから前記端部５８ａが除去されるまで引き抜かれる。この位置において、いくつかの例示的な実施の形態にあっては、前記スタンド１４は前記ケース１２から脱着されたと考えられることがある。
【００５２】
１の例示的な実施の形態にあっては、前記スタンド１４は図１２の前記矢印８６によって表示されるように前記ケース１２と脱着可能に連結されているので、前記旋回部５８は、前記コネクター６３ａ，６３ｂが相互に接続されない限りは、前記部５６と５８の間の角度６３ｃ（図６）がやや小さい方向を含有する任意の個数の方向に旋回されることある。１の例示的な実施の形態において、前記スタンド１４は図１２における前記矢印８８によって表示されるように、前記ケース１２から除去されるので、前記コネクター６３ａ，６３ｂが相互に接続されない限りは、前記旋回部５８は、前記部５６と５８の間の前記角度６３ｃ（図６）がやや小さい方向を含む任意の個数の方向に旋回されることがある。
【００５３】
図１４および図１５に示すような１の例示的な実施の形態にあっては、一旦前記スタンド１４が脱着可能に前記ケース１２と連結すると、前記ケース１２は開放配置にあって前記スタンド１４を支持配置で支持し、それによって、例えば、図１４に示すような横長視方向および図１５に示すような縦長視方向のような任意の個数の視方向を提示する。図１４に示すような前記横長視方向にあっては、前記本体４４の前記縁４６ｃおよび縁４６ｄが前記前側カバー１８および前記後側カバー２０の各外縁１８ｂおよび外縁２０ｂに対して実質的に平行となるように前記本体４４が、前記連結部５６に対して回転される。図１５に示すような前記縦長視方向にあっては、前記縁４６ａおよび縁４６ｂが前記前側カバー１８および前記後側カバー２０の前記各外縁１８ｂおよび外縁２０ｂに対して実質的に平行となるように前記本体４４が前記連結部５６に対して回転される。これらの相対的な回転は、少なくとも前記円形開口７０および前記連結リング６２を使用して実行されて、上述したように、前記円形開口７０内に前記連結リング６２の一部が延びる。
【００５４】
図１６に示されるように、１の例示的な実施の形態にあっては、前記タブレット型コンピュータ１６は、スタンド・アローン配置でかつイーゼルのような態様で支持されて、前記スタンド１４は前記ケース１２から脱着されかつ横長視方向に置かれることがある。いくつかの例示的な実施の形態にあっては、前記シュー、ブート、またはストッパ６５は前記縁４６ｃに沿って前記壁５０ａと接続され、同様に、前記旋回部５８の前記端部５８ａに接続されて、前記スタンド１４がもたれる前記水平面をしっかりとらえまたは好ましくは係合する。結果として、前記シュー、ブートまたはストッパ６５は、前記アーム４２が前記スタンド１４がもたれる前記水平面に対して滑ることなく前記横長視方向で前記ホルダー４０を支持することを可能とする。いくつかの例示的な実施の形態にあっては、前記スタンド１４は、前記アーム４２を含有せず、したがって前記スタンド１４は例えば、前記横長視方向における水平面（テーブルの上面のような）または本およびその水平面のいずれかと前記ホルダー４４の前記後面４４ｂとの前記係合によって非イーゼルのような態様で前記タブレット型コンピュータ１６を支持し、その結果、前記タブレット型コンピュータ１６が角度方向に延びて前記横長方向で見易くする。いくつかの例示的な実施の形態にあっては、前記スタンド１４は前記タブレット型コンピュータ１６を非イーゼルのような態様で支持する際に、例えば、前記横長方向における水平面（テーブルの上面のような）または本および水平面の双方のいずれかと前記後面４４ｂおよび／または前記アーム４２との前記係合によって、前記アーム４２が引き込み位置にあり、その結果、前記タブレット型コンピュータ１６は、角度方向に延びて前記横長方向で見易くする。
【００５５】
図１７に示すように、前記タブレット型コンピュータ１６はスタンド・アローン配置でイーゼルのような態様で支持されることがあり、前記スタンド１４は前記ケース１２から脱着されて縦長方向に置かれる。いくつかの例示的な実施の形態にあっては、前記縁４６ｂに沿って前記壁５０ａおよび壁５０ｂの１つまたは両方と接続し、同様に前記旋回部５８の前記端部５８ａと接続した前記１または２以上のシュー、ブートまたはストッパ６５は、前記スタンド１４がもたれている前記水平面をしっかりととらえまたは好ましくは係合する。結果として、前記シュー、ブートまたはストッパ６５は前記アーム４２が、前記スタンド１４がもたれる前記水平面に対して滑ることなく前記縦長方向で前記ホルダー４０を支持することを可能としている。いくつかの例示的な実施の形態にあっては、前記スタンド１４は前記アーム４２を含まず、したがって前記スタンド１４は、例えば、前記縦長方向での水平面（テーブルの上面のような）または本および水平面の双方のいずれかとの係合によって前記タブレット型コンピュータ１６を支持し、その結果前記タブレット型コンピュータ１６は角度方向に延びて、前記縦長方向で見やすくする。いくつかの例示的な実施の形態にあっては、前記スタンド１４は前記タブレット型コンピュータ１６を支持する際に前記アーム４２が、例えば、前記横長視方向における水平面（テーブルの上面のような）または本および水平面の双方のいずれかと前記後面４４ｂおよび／または前記アーム４２との前記係合によって引き込み位置にあり、その結果前記タブレット型コンピュータ１６は角度方向に延びて前記縦長方向で見やすくする。
【００５６】
図１８に示すように、前記タブレット型コンピュータ１６は、組立配置に支持されることができ、前記スタンド１４は脱着可能に前記ケース１２と連結しかつ横長方向に置かれる。１の例示的な実施の形態にあっては、前記タブレット型コンピュータ１６は、前記開閉部材２４を使用して前記横長方向に位置することができて前記タブレット型コンピュータ１６のやや長い縁および前記前側カバー１８の前記外縁１８ｂの近傍位置にある前記ホルダー４０の前記縁４６ｃ又は４６ｄの１つを支持する。この位置において、前記開閉部材２４は、前記タブレット型コンピュータ１６の比較的長い縁（前記縁４６ｃ又は４６ｄの１つに相当する）を前記前側カバー１８の前記外縁１８ｂの近傍に維持する。この位置において、いくつかの例示的な実施の形態にあっては、前記スタンド１４および／または前記タブレット型コンピュータ１６は前記内面１８ａおよび前記開閉部材２４のいずれか１つまたは双方と係合する。代わりに、いくつかの例示的な実施の形態にあっては、前記スタンド１４および前記タブレット型コンピュータ１６は前記開閉部材２４を越えて延び、かつ前記スタンド１４および／または前記タブレット型コンピュータ１６は前記前側カバー１８がもたれる前記水平面と係合する。
【００５７】
図１９に示されるように、前記タブレット型コンピュータ１６は、組立配置で支持されることができて、前記スタンド１４は脱着可能に前記ケース１２と連結しかつ縦長視方向に置かれている。１の例示的な実施の形態にあっては、前記タブレット型コンピュータ１６は前記開閉部材２４を用いることによって前記縦長方向に置かれて、前記タブレット型コンピュータ１６の比較的短い縁、および前記前側カバー１８の前記外縁１８ｂの近傍の位置で前記ホルダー４０の前記縁４６ａまたは４６ｂのいずれか一つを支持する。この位置で、前記開閉部材２４は、前記タブレット型コンピュータ１６の前記比較的短い縁（前記縁４６ａまたは４６ｂの1つに相当する）を前記前側カバー１８の前記外縁１８ｂの近傍に維持する。この位置において、いくつかの例示的な実施の形態にあっては、前記スタンド１４および／または前記タブレット型コンピュータ１６は前記内面１８ａおよび前記開閉部材２４の１つまたは双方と係合する。代わりに、いくつかの例示的な実施の形態にあっては、前記スタンド１４および前記タブレット型コンピュータ１６は、前記開閉部材２４を越えて延び、かつ前記スタンド１４および／または前記タブレット型コンピュータ１６は前記前側カバー１８がもたれている前記水平面と係合する。
【００５８】
１の例示的な実施の形態にあっては、図１−１９への参照を継続して図２０で説明されているように、小売用展示が全体として前記参照番号１００によって言及され、かつパネル１０１、製品売買部１０２、および製品展示部１０４を含有する。前記製品売買部１０２は写真、テキスト、またはグラフの任意の組合せ、それらの一部または全ては前記パネル１０１と結合することがある。１の例示的な実施の形態にあっては、前記製品売買部１０２は前記パネル１０１を通して展示される。１の例示的な実施の形態にあっては、前記写真、テキスト、またはグラフに加えて又はその代わりに前記製品売買部１０２が、例えば、音響による提示、視覚による提示、音響／視覚による提示、グラフ・ユーザ・インターフェース、ちらし、小冊子、リーフレット、パンフレット、ポスター、他の売買資料またはこれらの任意の組合せのような任意の個数の製品売買資料を含有することがある。これらの製品売買資料は前記パネル１０１、と結合しかつ前記パネル１０１を通して展示されることがある。
【００５９】
前記製品展示部１０４は複数のケース１２ａ、複数のケース１２ｂ、複数のスタンド１４ａ、および複数のスタンド１４ｂを含有し、これらの全ては、前記パネル１０１と結合している。１の例示的な実施の形態にあっては、前記スタンド１４ａおよびスタンド１４ｂは前記パネル１０１と接続しまたは連結している。１の例示的な実施の形態にあっては、前記ケース１２ａおよび１２ｂは前記パネル１０１と接続しまたは連結している。しかしながら、前記ケース１２ａおよびケース１２ｂの各々は図１−１９と関連して上述した前記ケース１２と同じであるが、前記ケース１２ａの各々の前記サイズは、前記ケース１２ｂの各々の前記サイズよりも大きい。しかしながら、前記スタンド１４ａおよびスタンド１４ｂの各々は、図１−１９に関連して上述した前記スタンド１４と同じであるが、前記スタンド１４ａの各々の前記サイズは前記スタンド１４ｂの各々の前記サイズよりも大きい。
【００６０】
１の例示的な実施の形態にあっては、前記スタンド１４ａの各々は、前記スタンド１４ｂの各々が支持しまたは収容するように設けられたタブレット型コンピュータ１６よりもサイズにおいて比較的大きいタブレット型コンピュータ１６を支持しまたは収容するように設けられている。いくつかの例示的な実施の形態にあっては、前記スタンド１４ａの各々のものは、例えば、前記アップル社のｉＰａｄ（登録商標）、前記アップル社のｉＰａｄ（登録商標）２、前記アップル社のｉＰａｄ（登録商標）３、前記アップル社のｉＰａｄ（登録商標）４、前記アップル社のｉＰａｄ（登録商標） Ａｉｒ、ｉＰａｄ （登録商標）Ａｉｒ２、前記サムソン・ギャラクシー・タブ10.1（登録商標）のような比較的大きいタブレット型コンピュータ１６の種々のものを各々受け入れるように設けられている。前記スタンド１４ａの各々は、前記ケース１２ａの任意の１つと脱着可能に連結するように設けられ、前記スタンド１４ａは、上述したように前記比較的大きなタブレット型コンピュータ１６の１つを収容するように設けられている。
【００６１】
１の例示的な実施の形態にあっては、前記スタンド１４ｂの各々は、前記スタンド１４ａの各々が支持しまたは収容するように設けられたタブレット型コンピュータ１６よりもサイズにおいて比較的小さいタブレット型コンピュータ１６を支持しまたは収容するように設けられている。いくつかの例示的な実施の形態にあっては、前記スタンド１４ｂの各々のものは、例えば、アップル社のｉＰａｄ（登録商標）ミニ、アップル社のｉＰａｄ（登録商標）ミニ２、アップル社のｉＰａｄ（登録商標）ミニ３、およびサムソン・ギャラクシー・タブ8.9（登録商標）のような比較的小さいタブレット型コンピュータ１６の種々のものを各々受け入れるように設けられている。前記スタンド１４ｂの各々は、前記ケース１２ｂの任意のものと脱着可能に連結されるように設けられ、前記スタンド１４ｂは、上述したように、前記比較的小さいタブレット型コンピュータ１６の１つを支持しまたは収容するように設けられている。
【００６２】
いくつかの例示的な実施の形態にあっては、前記スタンド１４ａまたはスタンド１４ｂの任意の１つは、図１−１９に関して上述したように、前記スタンド１４が脱着可能に前記ケース１２と連結する態様と実質的に同一の態様で、各々、前記ケース１２ａまたはケース１２ｂの任意の１つと脱着可能に連結することがある。
【００６３】
１の例示的な実施の形態にあっては、前記製品展示部１０４は前記ケース１２ａおよびケース１２ｂおよび前記スタンド１４ａおよびスタンド１４ｂを5個の列C1−C5かつ4個の行R1−R4で展示する。前記スタンド１４ａおよびスタンド１４ｂは前記列C1および前記列C5に展示される。前記スタンド１４ａは、比較的大きなタブレット型コンピュータ１６の種々のものを受け入れるように設けられ、前記列C1およびC5の前記行R3および前記行R4に展示されている。前記スタンド１４ｂは、前記比較的小さいタブレット型コンピュータ１６の種々のものを受け入れるように設けられ、前記列C1および列C5における前記行R1および前記行R2に展示される。前記スタンド１４ｂは、前記比較的小さいタブレット型コンピュータ１６の種々のものを受け入れるように設けられ、前記列C1およびC5の前記行R1およびR2に展示される。前記ケース１２ａおよびケース１２ｂは、前記列C2−C4に展示される。前記ケース１２ａは、前記スタンド１４ａの任意の１つに脱着可能に連結されるように設けられ、前記列C2−C4の前記行R3および前記行R4に展示される。前記ケース１２ｂは、前記スタンド１４ｂの任意のひとつと脱着可能に連結されるように設けられ、前記列C2−C4の前記行R1および行R2に展示されている。
【００６４】
１の例示的な実施の形態にあっては、前記ケース１２ａおよびケース１２ｂは種々の色彩および素材を有し、それによって、消費者に対し、任意の１つのタブレット型コンピュータ１６に対し選択する種々の色彩および素材を含有する製品の品揃えを提供する。いくつかの例示的な実施の形態にあっては、前記スタンド１４ａおよびスタンド１４ｂの各々は任意の前記ケース１２ａおよびケース１２ｂから脱着可能であるので、前記ケース１２ａおよびケース１２ｂおよび前記スタンド１４ａおよびスタンド１４ｂは規格ユニットで組み立てられ、前記タブレット型コンピュータ１６の特別な種類を収容し、保護しかつ飾ることができる製品群を維持することが要求される記録の保守、設備投資、および／または物理的スペースの量を削減する。１の例示的な実施の形態にあっては、前記ケース１２ａおよびケース１２ｂおよび前記スタンド１４ａおよびスタンド１４ｂの前記モジュール方式は、小売業者、特に、限られた記録の保守能力、物理的スペース、および／または、資本財源を持つ者に、種々のサイズをもちかつ異なる販売店で製造されるそのような多様性を持って、広い種類の前記タブレット型コンピュータ１６を収容し、保護し、かつ飾ることができる製品群を提供することができる。１の例示的な実施の形態にあっては、前記ケース１２ａおよびケース１２ｂおよび前記スタンド１４ａおよびスタンド１４ｂの前記モジュール方式は、特定の種類のタブレット型コンピュータ１６を収容し、保護しかつ飾ることができる製品群を維持するために要求される在庫商品識別番号の前記個数を削減する。１の例示的な実施の形態にあっては、前記小売用展示１００は、前記消費者が迅速にかつ正確に特定のタブレット型コンピュータ１６と互換性のある前記スタンド１４ａまたはスタンド１４ｂを特定することができる。同様にして、前記小売用展示１００は、前記消費者が、特定のスタンド１４ａまたはスタンド１４ｂが脱着可能に連結するように設けられた前記ケース１２ａまたはケース１２ｂを迅速かつ正確に特定することができる。
【００６５】
いくつかの例示的な実施の形態にあっては、前記小売用展示１００の視覚的な表現は、全体的にまたは部分的に、マルチタッチ・スクリーン、タッチパッド、コンピュータ・スクリーン、1または2以上の図形表示システム、および／またはこれらの任意の組合せのような出力装置上に展示されることがあり、いくつかの例示的な実施の形態にあっては、前記小売用展示１００のこの視覚的な表示は、消費者がケース１２および／またはスタンド１４を求めてそれを通して見て回ることがあるユーザインタフェースの役割のことがある。いくつかの例示的な実施の形態にあっては、一時的でないコンピュータ読取可能媒体およびそこに格納された複数の指示を含有するある装置が提供され、前記複数の指示は、消費者が、それによって1または2以上のケース１２および／または1または2以上のスタンド１４を見て回りかつ購入することがあるユーザインタフェースを提供するための1または2以上のコンピュータにアクセス可能でかつそれによって実行可能であり、前記ユーザインタフェースは前記小売用展示１００を全体的または部分的な視覚的な表示を含有する。いくつかの例示的な実施の形態にあっては、前記小売用展示１００の前記視覚的な表示の少なくとも一部は、前記製品売買部１０２および／または前記製品展示部１０４を含有し、ＵＲＬとして知られているインターネットのアドレスを介する前記インターネットのようなネットワークを通してアクセス可能なウェブサイト上で主催されている。
【００６６】
本開示は、携帯型電子機器を支持するように設けられた装置を提示し、前記装置は、第１および第２のカバーを有し前記第１および第２のカバーを接続して前記ケースが開放配置と閉鎖配置をもたせる背を有するケースと、前記ケースに脱着可能に連結するように設けられ前面を画定する本体を有しさらに前記前面に前記本体を貫通して形成された開口を有するホルダーを有するスタンドと、を有し、前記装置は、前記スタンドが前記ケースに脱着可能に連結する第１の配置と、前記スタンドが前記ケースから脱着している第２の配置とを有し、前記ホルダーは、前記第１および第２の配置の各々において前記携帯型電子機器を受け入れるように設けられ、前記携帯型電子機器が前記ホルダーによって受入れられると、前記装置は、前記第１の配置にあり、かつ前記ケースは、前記開放配置にあり、前記携帯型電子機器は、前記ホルダーの前記本体の前記開口および前記前面の各々と係合しまたは少なくともその近傍にあり、前記携帯型電子機器が前記ホルダーによって受け入れられた際に、前記装置は前記第１の配置にあり、かつ前記ケースは開放配置にあり、前記携帯型電子機器は、前記ホルダーの前記本体の前記前面および開口の各々と係合し、または少なくとも近傍にあり、前記ホルダーは、少なくとも前記開口を用いて、横長視方向と縦長視方向の間で回転可能であり、前記装置は、前記横長視方向と前記縦長視方向の各々において、イーゼルのような態様で前記携帯型電子機器を支持するように設けられている。１の例示的な実施の形態にあっては、前記アームは、前記ホルダーに回転可能に連結する第１の部分と、前記第１の部分に蝶番接続される第２の部分を有している。１の例示的な実施の形態にあっては、前記ケースは、スリーブを有し、前記スリーブは少なくとも部分的に前記アームの前記第２の部分を受け入れるように設けられた通路を少なくとも部分的に画定し、前記アームの前記第２の部分は、前記通路内を延びる際に前記装置は、前記スタンドが前記ケースと脱着可能に連結する前記第１の配置にある。１の例示的な実施の形態にあっては、前記ホルダーと前記スタンドの前記第１の部分は、前記スタンドの前記第１および第２の部分との間の蝶番接続について前記ケースおよび前記第２の部分の各々に対して旋回可能であり、その際前記装置は、前記スタンドが前記ケースに脱着可能に連結しかつ前記アームの前記第２の部分が前記通路内を延びる前記第１の配置にある。１の例示的な実施の形態にあっては、前記アームは、前記第１および第２の部分が実質的に平行である引き込み位置および前記第１および第２の部分が実質的に平行でなくかつゼロ度よりも大きい角度が前記第１および第２の部分の間に画定される展開位置を有している。１の例示的な実施の形態にあっては、前記アームはさらに、前記第１および第２の部分と各々接続された第１および第２のコネクターを有し、前記第１および第２のコネクターは、相互に接続されることが可能であり、その際、前記アームは引き込み位置にあって、前記アームを前記引き込み位置に固定する。１の例示的な実施の形態にあっては、前記第１および第２のカバーは前記第１および第２の内面を各々画定し、前記スリーブは、前記第１および第２の内面の一つと接続される。１の例示的な実施の形態にあっては、前記スタンドはさらに前記アームを回転可能に前記ホルダーに連結する連結リングを有し、前記連結リングの少なくとも一部は前記開口内に延びており、前記携帯型電子機器が前記ホルダーによって受け入れられかつ前記装置が前記第２の配置にある際に、前記ホルダーは少なくとも前記開口および前記連結リングを用いて、前記横長視方向と前記縦長視方向との間で回転可能であり、前記スタンドは、前記携帯型電子機器をイーゼルのような態様で前記横長視方向および前記縦長視方向の各々で支持するように設けられている。
【００６７】
本開示はまた携帯型電子機器を支持するように設けられた装置を提示しており、前記装置は、第１の内面および第２の内面を各々画定する第１および第２のカバーを有するケースと、前記第１および第２のカバーを接続して前記ケースが開放および閉鎖配置を有するように接続する背とを有し、前記ケースは、前記携帯型電子機器が固定されるように設けられた第１のスタンドが、前記ケースに脱着可能に連結するように設けられその結果前記携帯型電子機器が前記第１のスタンドに固定され、前記第１のスタンドは、脱着可能に前記ケースに連結されかつ前記ケースが前記閉鎖配置にあり、前記背および前記第１および第２のカバーが実質的に前記携帯型電子機器を覆い、かつ、他の携帯型電子機器が固定されるように設けられた第２のスタンドが前記ケースに脱着可能に連結されるように設けられその結果、前記他の携帯型電子機器が前記第２のスタンドに固定された際に、前記第２のスタンドが脱着可能に前記ケースに連結され、かつ前記ケースは前記閉鎖配置にあり、前記背および前記第１および第２のカバーは実質的に前記他の携帯型電子機器を覆い、前記他の携帯型電子機器は前記最初に述べた携帯型電子機器の前記サイズとは異なるサイズを有する。１の例示的な実施の形態にあっては、前記ケースはさらに前記第１のカバーを前記第２のカバーに固定するように設けられた開閉部材を有し、その際前記ケースは前記閉鎖配置にある。１の例示的な実施の形態にあっては、前記第１および第２の内面の一つと接続したスリーブを有し、該スリーブは、対向する第１および第２の端部を有し、該スリーブは通路を画定し、該通路は、前記スリーブの前記対向する第１および第２の端部の間を延び、前記スリーブは前記第１の端部に第１の開口を形成し、該第１の開口は前記通路へのアクセスを提供する。１の例示的な実施の形態にあっては、前記装置は、さらに、前記第１のスタンドを有し、該第１のスタンドは、前記最初に述べた携帯型電子機器を受け入れるように設けられたホルダーと、前記ホルダーと連結したアームとを有し、前記アームの少なくとも一部は前記第１の開口を通して前記通路内に延び、その際前記第１のスタンドは脱着可能に前記ケースと連結される。１の例示的な実施の形態にあっては、前記スリーブは、前記第２のカバーの前記第２の内面と接続され、前記スリーブは前記第２のカバーの前記第２の内面の前記幅の一部を横切って延び、前記スリーブは、前記第２のカバーの前記第２の内面の縦に沿った中ほどに位置する。１の例示的な実施の形態にあっては、前記第２のカバーは前記第２のカバーの前記第２の内面の縦に沿って延びる外端を画定し、前記スリーブの前記位置が、前記第２の内面の前記幅方向に沿ってかつ前記第２のカバーの前記外端に向かって変位し、その結果前記スリーブが前記第２のカバーの前記第２の内面の前記幅に沿った中ほどに位置しない。１の例示的な実施の形態にあっては、前記通路は前記第１のスタンドの少なくとも一部を受け入れるように形成され、その際前記第１のスタンドは前記ケースに脱着可能に連結し、前記第１のスタンドの少なくとも一部は前記第１の開口に挿入されるように設けられ、その結果前記通路は前記第１のスタンドの少なくとも一部を受入、かつ前記通路は前記第２のスタンドの少なくとも一部を受け入れるように形成され、その際、前記第２のスタンドは前記ケースに脱着可能に連結され、前記第２のスタンドの少なくとも一部は前記第１の開口に挿入されるように設けられ、その結果前記通路は前記第２のスタンドの少なくとも一部を受け入れる。
【００６８】
本開示は、携帯型電子機器を支持するように設けられた装置をまた提示し、該装置はスタンドを有し、該スタンドは、前記携帯型電子機器を受け入れるホルダーを有し、該スタンドはさらに前記ホルダーと回転可能に連結しかつ前記ホルダーをイーゼルのような態様で支持するように設けられたアームを有し、前記ホルダーと前記アームとの間の相対定な回転が許される。１の例示的な実施の形態にあっては、前記ホルダーと前記アームとの間の相対的な回転が許される結果前記アームは前記ホルダーを横長視方向でイーゼルのような態様で支持するように設けられ、前記ホルダーと前記アームとの間の相対的な回転は、前記アームが縦長視方向でイーゼルのような態様で支持されるように設けられることが許される。１の例示的な実施の形態にあっては、前記アームは前記ホルダーと回転可能に連結した第１の部分と、前記第１の部分と蝶番接続する第２の部分を有する。１の例示的な実施の形態にあっては、前記第１および第２の部分の各々は、前記蝶番接続について旋回可能であり、その結果前記アームは、前記第１および第２の部分が実質的に平行な引き込み位置と、前記第１および第２の部分が実質的に平行ではなく前記第１および第２の部分の間でゼロ度よりも大きい角度が画定された展開位置を有する。１の例示的な実施の形態にあっては、前記アームはさらに前記第１および第２の部分と各々接続された第１および第２のコネクターをさらに有し、前記第１および第２のコネクターは、相互に接続されることが許容される際に、前記アームは前記引き込み位置にあって前記アームを前記引き込み位置で固定する。１の例示的な実施の形態にあっては、前記装置は、前記スタンドが脱着可能に連結されるように設けられ、第１および第２の内面を各々画定する前記第１および第２のカバーを有するケース、および前記第１および第２のカバーを接続して前記ケースが開放および閉鎖配置を持つ背をさらに有し、前記背および前記第１および第２のカバーは実質的に前記携帯型電子機器を覆う際に前記携帯型電子機器は前記ホルダーによって受け入れられ、前記スタンドは前記ケースと脱着可能に連結され、かつ前記ケースは前記閉鎖配置にある。１の例示的な実施の形態にあっては、前記ケースは、前記第１および第２の内面の一つと接続するスリーブを有し、該スリーブは通路を画定し、前記アームの前記第２の部分は前記通路内に延びる際に前記スタンドは脱着可能に前記ケースと連結される。
【００６９】
本開示は、第１のサイズをもつ第１の携帯型電子機器を支持するように設けられた第１のスタンドと、前記第１の携帯型電子機器とは異なり、かつ前記第１の携帯型電子機器の第１のサイズとは異なる第２のサイズを持つ第２の携帯型電子機器を支持するように設けられた第２のスタンドと、前記第１および第２のスタンドの各々が脱着可能に連結されるように設けられた第１のケースとを有するキットが提示され、該第１のケースは、第１および第２の内面を各々画定する第１および第２のカバー、および前記第１および第２のカバーと接続して前記第１のケースが開放および閉鎖配置の持つ背を有し、該第１のケースは、前記第１の携帯型電子機器を実質的に覆うように設けられる際に、前記第１のスタンドは、前記第１の携帯型電子機器を支持し、前記第１のスタンドは前記第１のケースと脱着可能に連結され、前記第１のケースは、その閉鎖配置にあり、前記第１のケースは前記第２の携帯型電子機器を実質的に覆うように設けられる場合に前記第２のスタンドが前記第２の携帯型電子機器を支持し、前記第２のスタンドは、脱着可能に前記第１のケースと連結し、前記第１のケースはその閉鎖配置にある。１の例示的な実施の形態にあっては、前記装置は、前記第１および第２のスタンドの各々が連結されるように設けられる第２のケースをさらに有し、該第２のケースは開放および閉鎖配置を持ち、前記第２のケースは、前記第１の携帯型電子機器を実質的に覆うように設けられる場合に前記第１のスタンドは前記第１の電子機器を支持し、前記第１のスタンドは、脱着可能に前記第２のケースに連結され、前記第２のケースはその閉鎖配置にあり、前記第２のケースは、前記第２の携帯型電子機器を実質的に覆うように設けられる場合に、前記第２のスタンドは、前記第２の携帯型電子機器を支持し、前記第２のスタンドは脱着可能に前記第２のケースに連結し、前記第２のケースは、その閉鎖配置にある。１の例示的な実施の形態にあっては、前記第１のスタンドが前記第１のケースに対して脱着可能に連結されるか否かに拘わりなく前記第１のスタンドは前記第１の携帯型電子機器を支持するように設けられ、前記第２のスタンドが前記第２のケースに脱着可能に連結されるか否かに関わりなく前記第２のスタンドは前記第２の携帯型電子機器を支持するように設けられる。１の例示的な実施の形態にあっては、前記キットは、前記第１のスタンド、前記第２のスタンド、前記第１のケースおよび前記第２のケースと結合されるように設けられたパネルをさらに有し、その場合、前記第１のスタンドは、前記第１および第２のケースの各々から脱着され、かつ前記第２のスタンドは前記第１および第２のケースから脱着される。１の例示的な実施の形態にあっては、前記キットは、小売展示用キットであって、前記第１のスタンド、前記第２のスタンド、前記第１のケースおよび前記第２のケースは、少なくとも部分的に製造展示部を形成し、その場合前記第１のスタンド、前記第２のスタンド、前記第１のケースおよび前記第２のケースは前記パネルと結合している。１の例示的な実施の形態にあっては、前記第１のスタンドおよび前記第２のスタンドは、第１の列または行状に展示され、この場合前記第１のスタンドおよび前記第２のスタンドは前記パネルと結合し、前記第１のケースおよび前記第２のケースは、第２の列または行状に展示され、この場合、前記第１のケースおよび前記第２のケースは前記パネルと結合する。
【００７０】
本開示は、携帯型電子機器を支持するように設けられた装置も提示し、前記装置は、ケースおよび前記ケースに対して脱着可能に連結されたスタンドを有し、前記スタンドは前記携帯型電子機器を受け入れるように設けられたホルダーを有し、前記装置は前記スタンドが前記ケースに対して脱着可能に連結される第１の配置と、前記スタンドが前記ケースから脱着された第２の配置とを持ち、前記ホルダーは横長視方向および縦長視方向との間で回転可能であり、この場合、前記装置は前記第１の配置または前記第２の配置のいずれかにあり、前記スタンドはイーゼルのような態様で前記携帯型電子機器を支持するように設けられ、その場合前記装置は、前記第１の配置または前記第２の配置のいずれかにある。１の例示的な実施の形態にあっては、前記スタンドは、前記ホルダーと回転可能に連結するアームをさらに有し、前記ホルダーと前記アームとの間の相対的な回転が許される。１の例示的な実施の形態にあっては、前記アームは前記ホルダーと回転可能に連結する第１の部分と前記第１の部分と蝶番接続する第２の部分とを有する。１の例示的な実施の形態では、前記ケースは、スリーブを有し、前記スリーブは前記アームの前記第２の部分を少なくとも部分的に受け入れるように設けられた通路を画定し、前記アームの前記第２の部分は前記通路内に延び、その際に前記装置は、前記スタンドが前記ケースに脱着可能に連結される前記第１の配置にある。１の例示的な実施の形態にあっては、前記ホルダーおよび前記スタンドの前記第１の部分は前記第１および第２の部分の間での蝶番接続についてかつ前記ケースおよび前記第２の部分の各々に対して旋回可能であり、その際前記装置は前記スタンドが脱着可能に前記ケースに連結しかつ前記アームの第２の部分が前記通路内に延びる前記第１の配置にある。１の例示的な実施の形態にあっては、前記アームは前記第１及び第２の部分が実質的に平行となる引き込み位置および前記第１および第２の位置が実質的に平行でなくゼロ度よりも大きな角度が前記第１および第２の位置の間に画定する展開位置を有する。１の例示的な実施の形態にあっては、前記アームは前記第１および第２の部分に各々接続される第１および第２のコネクターをさらに有し、前記第１および第２のコネクターは相互に接続されることが許容され、その場合には前記アームは前記アームを前記引き込み位置に固定するための引き込み位置にある。１の例示的な実施の形態にあっては、前記ケースは、第１および第２の内面を各々画定する第１および第２のカバーと、前記第１および第２のカバーと接続して前記ケースが開放配置および閉鎖配置を持つ背とを有し、前記スリーブは前記第１および第２の内面の1つと接続される。
【００７１】
本開示は、本開示の1または2以上の態様に係る1または2以上の方法も提示される。
【００７２】
本開示は、本開示の1または2以上の態様に係る1または2以上のシステムも提示される。
【００７３】
本開示の範囲を逸脱することなく変更が前述のものになされることがあることを理解するべきである。
【００７４】
いくつかの例示的な実施の形態にあっては、前記種々の説明に役立つ例示的な実施の形態の前記要素および教示は、前記説明に役立つ例示的な実施の形態のいくつかまたはすべてにおいて全体として又は部分的に組み合わされることがある。加えて、前記種々の説明に役立つ例示的な実施の形態の1または2以上の前記要素および教示は、少なくとも部分的に、省略され、およびまたは、前記種々の説明に役立つ実施の形態の1または2以上の前記他の要素および教示と少なくとも部分的に組み合わされることがある。
【００７５】
例えば、「上側」、「下側」、「上方」、「下方」「の間」、「底」、「垂直の」、「水平の」、「角度のある」、「上へ向かう」、「下へ向かう」、「横に」、「左右」、「左」、「右」、「右左」、「真っ逆さまに」、「底から頂上」、「頂上」、「底」、「下から上へ」、「上から下へ」、等は例示のみの目的のためであって、前述した前記構造の前記特定の方向または位置に限定しない。
【００７６】
いくつかの例示的な実施の形態にあっては、種々の工程、処理および過程は、異なる行為として見えるように記述されているが、1または2以上の前記工程、1または2以上の前記処理、および／または1または2以上の前記過程はまた、異なる順序、同時および／または順次実行されることもある。いくつかの例示的な実施の形態にあっては、前記工程、処理および過程は、1または2以上の工程、処理および／または過程に併合されることもある。いくつかの例示的な実施の形態にあっては、各実施の形態での1または2以上の前記操作工程は省略されることがある。さらに、いくつかの例、本開示のいくつかの構成要素は他の構成要素の対応する使用なしで採用されることがある。さらに、1または2以上の上述の実施の形態および／または変更は全体として又は部分的に任意の1または2以上の他の上述の実施の形態および／または変更と組み合わされることがある。
【００７７】
いくつかの例示的な実施の形態は、詳細に上述されているけれども、開示された実施の形態は例示のみであって、限定するものではなく、いわゆる当業者は多くの他の修正、変更および／または置き換えが本開示の新規な技術および利益から大いに逸脱することなく可能であることを躊躇なく承認するだろう。したがって、全てのこのような修正、変更および／または置き換えは、下記の請求の範囲内で定義されるように本開示の前記範囲内に含まれるべきことが意図される。前記請求の範囲では、機能的表現は、前記記述された機能を実行するものとしてここに記述された前記構造および構造的な等価物のみならず等価な構造をもカバーすることを意図している。
【図１】
2018507459.tif 000003
【図２】
2018507459.tif 000004
【図３】
2018507459.tif 000005
【図４】
2018507459.tif 000006
【図５】
2018507459.tif 000007
【図６】
2018507459.tif 000008
【図７】
2018507459.tif 000009
【図８】
2018507459.tif 000010
【図９】
2018507459.tif 000011
【図１０】
2018507459.tif 000012
【図１１】
2018507459.tif 000013
【図１２】
2018507459.tif 000014
【図１３】
2018507459.tif 000015
【図１４】
2018507459.tif 000016
【図１５】
2018507459.tif 000017
【図１６】
2018507459.tif 000018
【図１７】
2018507459.tif 000019
【図１８】
2018507459.tif 000020
【図１９】
2018507459.tif 000021
【図２０】
2018507459.tif 000022
【国際調査報告】
2018507459.tif 000023
2018507459.tif 000024
2018507459.tif 000025
2018507459.tif 000026